(57)【要約】【課題】  電源停電後の復電後処理を効率よく処理を行え、生ごみ投入扉の開時の安全を確保する生ごみ処理機を提供することを目的とする。【解決手段】  負荷駆動用電源２２と制御回路用電源２３にそれぞれ、停電を検知する手段または復電を検知する手段（２４、２５、２６、２７）を設け、停電時の処理または復電時の処理を効率良くするものである。また、負荷駆動用電源２２を開閉する第一のスイッチの開閉を検知する手段３４または制御回路用電源２３を開閉する第二のスイッチの開閉を検知する手段３５を備え、負荷駆動用電源２２または制御回路用電源２３の状態を判断することで復電後の処理が効率良く行えるものである。また、生ごみ投入扉の開閉を検知する手段を備え、生ごみ投入扉の開時の安全を確保するものである。【選択図】  図２
2005052753.tif 000002
【特許請求の範囲】
【請求項１】
個別に設けた負荷駆動用電源、制御回路用電源と、前記負荷駆動電源と前記制御回路用電源の停電または復電を個別に検出する検出手段とを備え、前記検出手段が停電を検出した時には停電処理を、復電を検出した時には復電処理を行う生ごみ処理機。
【請求項２】
負荷駆動用電源に深夜電力を、制御回路用電源に深夜電力以外の電源を使用する請求項１に記載の生ごみ処理機。
【請求項３】
負荷駆動用電源及び制御回路用電源に交流電源を使用し、前記電源の停電または復電を検出する検出手段を、前記交流電源のゼロクロス点を検出する回路とした請求項１または２記載の生ごみ処理機。
【請求項４】
負荷駆動用電源及び制御回路用電源の停電または復電を検出する検出手段を、前記負荷駆動電源と制御回路用電源の電圧を分圧する分圧回路とした請求項１または２記載の生ごみ処理機。
【請求項５】
負荷駆動用電源及び制御回路用電源の停電または復電を検出する検出手段を、前記負荷駆動電源と制御回路用電源の電流を検出する電流検出手段とした請求項１または２記載の生ごみ処理機。
【請求項６】
負荷駆動電源と制御回路用電源の電流を検出する電流検出手段を、カレントトランスとした請求項５に記載の生ごみ処理機。
【請求項７】
負荷駆動電源と制御回路用電源の電流を検出する電流検出手段に、交流電源の電流を分流する分流回路を用いた請求項５に記載の生ごみ処理機。
【請求項８】
生ごみを加熱する加熱手段と、生ごみを乾燥する際に発生する蒸気の脱臭を行う触媒と、この触媒を加熱する触媒加熱手段とを備え、負荷駆動用電源または制御回路用電源の停電を検出した時の停電処理として、停電する直前の乾燥手段と触媒加熱手段の状態を記憶する請求項１〜７のいずれか１項に記載の生ごみ処理機。
【請求項９】
負荷駆動用電源または制御回路用電源の停電を検出した時の停電処理に、開始から停電するまでの時間を計時し、記憶する請求項８に記載の生ごみ処理機。
【請求項１０】
負荷駆動用電源または制御回路用電源の停電を検出した時の停電処理に、停電している時間を計時し、記憶する請求項８に記載の生ごみ処理機。
【請求項１１】
負荷駆動用電源または制御回路用電源の復電時に、停電処理にて記憶した停電する直前の加熱手段と触媒加熱手段の状態より再開する請求項８に記載の生ごみ処理機。
【請求項１２】
負荷駆動用電源または制御回路用電源の復電時に、停電処理時にて記憶した開始から停電するまでの時間から再開する請求項９に記載の生ごみ処理機。
【請求項１３】
負荷駆動用電源または制御回路用電源の復電時に、最初から再開する請求項８または請求項９に記載の生ごみ処理機。
【請求項１４】
負荷駆動用電源または制御回路用電源の停電している時間が所定時間以上の場合は、処理の再開を行わない請求項１０に記載の生ごみ処理機。
【請求項１５】
負荷駆動用電源または制御回路用電源の停電している時間が所定時間以上の場合は、生ごみを乾燥させる乾燥工程と、加熱手段を冷却する冷却工程を行う請求項１０に記載の生ごみ処理機。
【請求項１６】
負荷駆動用電源または制御回路用電源の停電している時間が所定時間以内の場合は、停電前の処理工程の続きを行う請求項１０に記載の生ごみ処理機。
【請求項１７】
負荷駆動用電源または制御回路用電源の停電検出時に、停電の表示を行う請求項１〜１０、１４、１５のいずれか１項に記載の生ごみ処理機。
【請求項１８】
負荷駆動用電源または制御回路用電源の復電時に、復電の表示を行う請求項１〜７、１１〜１６のいずれか１項に記載の生ごみ処理機。
【請求項１９】
負荷駆動用電源または制御回路用電源の停電の表示または、負荷駆動用電源または制御回路用電源の復電の表示に７セグメント、液晶表示、蛍光表示管を用いた請求項１７または１８記載の生ごみ処理機。
【請求項２０】
負荷駆動用電源または制御回路用電源の停電検出時に、停電の報知を行う請求項１〜１６のいずれか１項に記載の生ごみ処理機。
【請求項２１】
負荷駆動用電源または制御回路用電源の復電時に、復電の報知を行う請求項１〜１６のいずれか１項に記載の生ごみ処理機。
【請求項２２】
負荷駆動用電源を開閉する第一のスイッチ、または、制御回路用電源を開閉する第二のスイッチを備え、前記第一のスイッチまたは前記第二のスイッチの開閉を検知する手段を備えた請求項１〜２１のいずれか１項に記載の生ごみ処理機。
【請求項２３】
負荷駆動用電源を開閉する第一のスイッチに電磁開閉器を使用し、前記電磁開閉器の駆動コイルの電源を開閉する第三のスイッチを備え、前記第三のスイッチの開閉を行う手段を備えた請求項１〜２１のいずれか１項に記載の生ごみ処理機。
【請求項２４】
負荷駆動用電源を開閉する第一のスイッチ、または、制御回路用電源を開閉する第二のスイッチ、または、電磁開閉器の駆動コイルの電源を開閉する第三のスイッチの開閉を検知する手段として、前記第一のスイッチ両端の電圧の比較、または、前記第二のスイッチ両端の電圧の比較、または、前記第三のスイッチ両端の電圧の比較にて検知する方式を用いた請求項２２または２３記載の生ごみ処理機。
【請求項２５】
負荷駆動用電源を開閉する第一のスイッチ、または、制御回路用電源を開閉する第二のスイッチ、または、電磁開閉器の駆動コイルの電源を開閉する第三のスイッチの開閉を検知する手段が、前記スイッチの開を検知した時は、停電処理または復電処理を行わない請求項２２または２３記載の生ごみ処理機。
【請求項２６】
生ごみ投入扉の開閉を検知する手段を備え、生ごみ投入扉開時には負荷駆動用電源または制御回路用電源を遮断する機能を備えた請求項１〜２５のいずれか１項に記載の生ごみ処理機。
【請求項２７】
生ごみ投入扉の開閉を検知する手段に、リミットスイッチを用いた請求項２６に記載の生ごみ処理機。
【請求項２８】
生ごみ投入扉の開閉を検知する手段に、リードスイッチを用いた請求項２６に記載の生ごみ処理機。
【請求項２９】
生ごみ投入扉の開閉を検知する手段と、負荷駆動用電源を遮断する手段に電磁開閉器を備え、生ごみ投入扉開時には、電磁開閉器の駆動コイルの電源を遮断する構成にした請求項２６〜２８のいずれか１項に生ごみ処理機。
【請求項３０】
生ごみ投入扉の開閉を検知する手段を備え、生ごみ投入扉開時には全ての表示を消灯する請求項２６〜２９のいずれか１項に記載の生ごみ処理機。
【請求項３１】
生ごみ投入扉の開閉を検知する手段を備え、生ごみ投入扉開時には扉開の表示を行う請求項２６〜２９のいずれか１項に記載の生ごみ処理機。
【請求項３２】
生ごみ投入扉開時の異常の表示に、７セグメント、液晶表示、蛍光表示管を用いた請求項３１に記載の生ごみ処理機。
【請求項３３】
生ごみ投入扉の開閉を検知する手段を備え、生ごみ投入扉開時には扉開の報知を行う請求項２６〜２９のいずれか１項に記載の生ごみ処理機。
【発明の詳細な説明】
【技術分野】
【０００１】
本発明は負荷駆動用電源と制御回路用電源を持つ生ごみ処理機に関するもので、特に停電検知に関するものである。
【背景技術】
【０００２】
従来、この種の生ごみ処理機としては、例えば図３６に記載されているようなものがあった。図３６は、生ごみ処理機の停電に関するブロック図を示すもので、ゼロボルト回路が出力する信号の有無で、停電を検出するものである（例えば、特許文献１参照）。
【特許文献１】特開２００１−３２１７４８号公報
【発明の開示】
【発明が解決しようとする課題】
【０００３】
しかしながら従来の構成においては、負荷駆動用電源と制御回路用電源の２系統を有する場合、例えば負荷駆動用電源の停電時と制御回路用電源の停電時の判別がつかないため、停電の状態に応じた復電後の処理が出来ないという課題を有していた。
【０００４】
本発明は、前記従来の課題を解決するもので、復電後の処理を効率良くする生ごみ処理機を提供することを目的とする。
【課題を解決するための手段】
【０００５】
前記従来の課題を解決するために、本発明の生ごみ処理機は、負荷駆動用電源の停電検知回路と制御回路用電源の停電用検知回路を個別に設けたものである。これによって、負荷駆動用電源の停電と制御回路用電源の停電の状態が判別でき、負荷駆動用電源の停電時間等に応じた処理を行うことで復電後の処理を効率良くすることが出来る。
【発明の効果】
【０００６】
本発明の生ごみ処理機は、負荷駆動用電源の停電検知回路と制御回路用電源の停電用検知回路を個別に設けることによって、負荷駆動用電源の停電と制御回路用電源の停電の状態が判別でき、例えば、負荷駆動用電源の停電時間等に応じた処理を行うことで復電後の処理を効率良くすることが出来る。
【発明を実施するための最良の形態】
【０００７】
第１の発明は、負荷駆動用電源と制御回路用電源を有し、負荷駆動用電源の停電を検知する手段と制御回路用電源の停電を検知する手段を個別に設けることにより、負荷駆動用電源の停電または制御回路用電源の停電を個別に判別し、その状態に応じた停電時の処理が効率良く行えるものである。また、負荷駆動用電源の復電を検知する手段と制御回路用電源の復電を検知する手段を個別に設けることにより、負荷駆動用電源の復電または制御回路用電源の復電を個別に判別し、その状態に応じた復電の処理が効率良く行えるものである。
【０００８】
第２の発明は、特に、第１の発明の生ごみ処理機を、負荷駆動用電源に深夜電力に、制御回路用電源に深夜電力以外の電源系統にすることにより、深夜電力のみの停電が検出可能となり、深夜電力の停電に応じた復電後の処理が行えるものである。
【０００９】
第３の発明は、特に、第１または第２の発明の生ごみ処理機において、負荷駆動用電源及び制御回路用電源に交流電源を使用し、前記停電を検知する手段または復電を検知する手段に、前記交流電源のゼロクロス点を検出する手段を用いることで交流電源の周期が検出可能となり、停電または復電の検出が速く行えるものである。
【００１０】
第４の発明は、特に、第１または第２の発明の生ごみ処理機において、負荷駆動用電源及び制御回路用電源に交流電源を使用し、前記停電を検出する手段または復電を検出する手段に、前記交流電源を分圧する分圧回路を用いることで安価な回路で停電の検出または復電の検出が可能となる。
【００１１】
第５の発明は、特に、第１または第２の発明の生ごみ処理機において、負荷駆動用電源及び制御回路用電源に交流電源を使用し、前記停電を検出する手段または復電を検出する手段に、前記交流電源の電流を検出する手段を用いることで停電の検出直前または復電直後の負荷の状態も検出可能となり、より効率的な停電時の処理または復電時の処理が可能となる。
【００１２】
第６の発明は、第５の発明における前記交流電源の電流を検出する手段に、カレントトランスを用いることで検出する電流の値の精度が良くなり、停電時の処理または復電時の処理がより効率良くなる。
【００１３】
第７の発明は、第５の発明における前記交流電源の電流を検出する手段に、前記交流電源の電流を分流する分流回路を用いることで安価な回路で停電の検出または復電の検出が可能となり、かつ前記第５の発明の効果も可能となる。
【００１４】
第８の発明は、生ごみを加熱し乾燥する加熱手段と、生ごみを乾燥する際に発生する蒸気の脱臭を行う触媒と、前記触媒を加熱する触媒加熱手段とを備え、触媒を加熱する予備加熱工程と、生ごみを乾燥させる乾燥工程と、前記乾燥工程後の生ごみと、前記加熱手段を冷却する冷却工程の処理工程を備えた第１の発明〜第７の発明の生ごみ処理機において、負荷駆動用電源または制御回路用電源の停電を検出した時の停電処理に、停電する直前の処理工程を記憶することにより、停電直前の生ごみの処理状態が判別可能となり停電時の処理または復電時の処理が効率良くなる。
【００１５】
第９の発明は、特に、第８の発明の停電処理に、予備加熱工程の開始から停電するまでの時間を計時することにより、停電直前の生ごみの処理状態が判別可能となり停電時の処理または復電時の処理が効率良くなる。
【００１６】
第１０の発明は、特に、第８の発明の停電処理に、負荷駆動用電源または制御回路用電源の停電を検出した時に、停電している時間を計時し、記憶することにより生ごみの処理状態が判別可能となり停電時の処理または復電時の処理が効率良くなる。
【００１７】
第１１の発明は、特に、第８の発明の復電処理に、負荷駆動用電源または制御回路用電源の復電を検出した時に、前記停電処理にて記憶した前記停電する直前の処理工程より再開することにより復電後の処理が効率良く行える。
【００１８】
第１２の発明は、特に、第９の発明の復電処理に、負荷駆動用電源または制御回路用電源の復電時に、前記停電処理時にて記憶した前記予備加熱工程の開始から停電するまでの時間より再開することにより復電後の処理が効率良く行える。
【００１９】
第１３の発明は、特に、第８または第９の発明の復電処理を、予備加熱工程の開始より再開することにより復電後の処理の単一化が可能である。
【００２０】
第１４の発明は、特に、第１０の発明の停電処理にて、負荷駆動用電源または制御回路用電源の停電している時間を計時し、例えば負荷駆動用電源に深夜電力を用いる場合で深夜電力時間帯での停電が長時間におよび、復電後の処理が深夜電力時間帯に終了しない場合は、前記停電している時間が所定時間以上の場合は処理の再開を中止するにより、電気代を削減することができる。
【００２１】
第１５の発明は、特に、第１０の発明の生ごみ処理機に、生ごみを急速に乾燥する第二の乾燥工程と、前記第二の乾燥工程後の生ごみと、前記乾燥ヒータを急速に冷却する第二の冷却工程の処理工程を備えることにより、前記負荷駆動用電源または制御回路用電源の停電している時間が所定時間以上の場合は、前記第二の乾燥工程と前記第二の冷却工程を行うことにより、停電に影響されること無く処理を終了させることができる。
【００２２】
第１６の発明は、特に、第１０の発明の停電処理にて、負荷駆動用電源または制御回路用電源の停電している時間を計時し、前記負荷駆動用電源または制御回路用電源の停電している時間が所定時間以内の場合は、停電前の処理工程の続きを行うことにより、短時間の停電においては停電に影響されること無く処理を終了させることができる。
【００２３】
第１７の発明は、特に、第１〜１０、１４、１５の発明の生ごみ処理機において、負荷駆動用電源または制御回路用電源の停電検出時に、異常の表示を行うことにより、処理中に停電が有ったことを使用者に知らせることができる。
【００２４】
第１８の発明は、特に、第１〜７、１１〜１６の発明の生ごみ処理機において、負荷駆動用電源または制御回路用電源の復電時に、復電の表示を行うことにより、処理中に停電し、復電したことを使用者に知らせることができる。
【００２５】
第１９の発明は、特に、第１７または第１８の発明の生ごみ処理機において、負荷駆動用電源または制御回路用電源の停電の表示または、負荷駆動用電源または制御回路用電源の復電の表示に７セグメント、液晶表示、蛍光表示管を用いることにより、停電または復電の状態を使用者に詳しく知らせることができる。
【００２６】
第２０の発明は、特に、第１〜第１６の発明の生ごみ処理機において、負荷駆動用電源または制御回路用電源の停電検出時に、異常の報知を行うことにより、処理中に停電したことを使用者が生ごみ処理機に離れた場所に居る場合においても知らせることができる。
【００２７】
第２１の発明は、特に、第１〜第１６の発明の生ごみ処理機において、負荷駆動用電源または制御回路用電源の復電時に、復電の報知を行うことにより、処理中に停電し、復電したことを使用者が生ごみ処理機に離れた場所に居る場合においても知らせることができる。
【００２８】
第２２の発明は、特に、第１〜第２１の発明の生ごみ処理機において、負荷駆動用電源を開閉する第一のスイッチ、または、制御回路用電源を開閉する第二のスイッチを備え、前記第一のスイッチまたは前記第二のスイッチの開閉を検知する手段を備えたことにより、負荷駆動用電源の電源断または制御回路用電源の電源断が停電によるものか、前記第一のスイッチの操作または前記第二のスイッチの操作によるものか判別が可能となる。
【００２９】
第２３の発明は、特に、第１〜第２１の発明の生ごみ処理機において、負荷駆動用電源を開閉する第一のスイッチに電磁開閉器を使用し、前記電磁開閉器の駆動コイルの電源を開閉する第三のスイッチを備え、前記第三のスイッチの開閉を検知する手段を備えることにより、負荷駆動用電源の電源断が停電によるものか、前記第三のスイッチの操作によるものか判別が可能となる。
【００３０】
第２４の発明は、特に、第２２または第２３の発明において、負荷駆動用電源を開閉する第一のスイッチ、または、制御回路用電源を開閉する第二のスイッチ、または、電磁開閉器の駆動コイルの電源を開閉する第三のスイッチの開閉を検知する手段として、前記第一のスイッチ両端の電圧の比較、または、前記第二のスイッチ両端の電圧の比較、または、前記第三のスイッチ両端の電圧の比較にて検知する方式を用いることにより、前記第一のスイッチまたは前記第二スイッチまたは前記第三のスイッチの開閉の検知が容易にできる。
【００３１】
第２５の発明は、特に、第２２または第２３の発明において、負荷駆動用電源を開閉する第一のスイッチ、または、制御回路用電源を開閉する第二のスイッチ、または、電磁開閉器の駆動コイルの電源を開閉する第三のスイッチの開閉を検知する手段が、前記スイッチの開を検知した時は、停電処理または復電処理を行わないもので、前記第一のスイッチまたは前記第二のスイッチまたは前記第三のスイッチを再投入した時に前記予備加熱工程から開始できる。
【００３２】
第２６の発明は、特に、第１〜第２５の発明の生ごみ処理機において、生ごみ投入扉の開閉を検知する手段を備え、生ごみ投入扉開時には負荷駆動用電源または制御回路用電源を遮断する機能を備えることにより、生ごみ投入扉を開けた時の蒸気上がりを抑えることができる。
【００３３】
第２７の発明は、特に、第２６の発明の生ごみ投入扉の開閉を検知する手段に、リミットスイッチを用いることにより、負荷駆動用電源または制御回路用電源の遮断が容易にできる。
【００３４】
第２８の発明は、特に、第２６の発明の生ごみ投入扉の開閉を検知する手段に、リードスイッチを用いることにより、生ごみ投入扉の開閉検知が安価にできる。
【００３５】
第２９の発明は、特に、第２６〜第２８の発明の生ごみ投入扉の開閉を検知する手段と、負荷駆動用電源を遮断する手段に電磁開閉器を用いた生ごみ処理機において、生ごみ投入扉開時には、電磁開閉器の駆動コイルの電源を遮断する構成にすることにより、負荷電源用電源を遮断する構成が安価にできる。
【００３６】
第３０の発明は、特に、第２６〜第２９の発明の生ごみ処理機において、生ごみ投入扉開時には全ての表示を消灯することにより、生ごみ投入扉の開閉により負荷駆動用電源または制御回路用電源が遮断されたことが使用者に知らせることができる。
【００３７】
第３１の発明は、特に、第２６〜第２９の発明の生ごみ処理機において、生ごみ投入扉の開閉を検知する手段を備え、生ごみ投入扉開時には異常の表示を行うことにより、生ごみ投入扉開を使用者に知らせることができる。
【００３８】
第３２の発明は、特に、第３１の発明の生ごみ投入扉開時の異常の表示に、７セグメント、液晶表示、蛍光表示管を用いることにより、生ごみ投入扉開を使用者に詳しく知らせることができる。
【００３９】
第３３の発明は、特に、第２６〜第２９の発明の生ごみ処理機において、生ごみ投入扉の開閉を検知する手段を備え、生ごみ投入扉開時には異常の報知を行うことにより、使用者の視線が表示部に無い場合においても生ごみ投入扉開を使用者に知らせることができる。
【００４０】
以下、本発明の実施の形態について、図面を参照にしながら説明する。なお、この実施の形態によって本発明が限定されるものではない。
【００４１】
（実施の形態１）
以下、本発明の一実施の形態について、図面を参照しながら説明する。尚、図１は生ごみ処理機の全体図であり、図２は生ごみ処理機の結線略図であり、図３は生ごみ処理機の開始から終了までのフローチャート図である。
【００４２】
図１を用いて生ごみ処理機の概略を説明する。生ごみを投入する生ごみ投入扉１０と、処理タンク１１と、生ごみを乾燥することで発生する蒸気の脱臭を行う触媒１２と、乾燥処理後の生ごみを排出する排出口１３と、処理の開始スイッチ１４を有する。生ごみを乾燥するための加熱手段である乾燥ヒータ１５と、乾燥ヒータ１５からの熱を生ごみに伝える乾燥ファンモータ１９と、処理タンク１１の外側から加熱し生ごみを乾燥するためのタンクヒータ１６と、触媒１２の加熱を行う触媒加熱手段である触媒ヒータ１７と、生ごみを均等に乾燥するための生ごみを撹拌する駆動モータ１８と、生ごみの乾燥により発生する蒸気を排気する吸引ファンモータ２０と、乾燥処理後の生ごみを排出する排出口のシャッター開閉用排出口モータ２１を有している。また、乾燥ヒータ１５から排出口モータ２１の各負荷の電源となる負荷駆動用電源２２と、乾燥ヒータ１５から排出口モータ２１の各負荷を制御する制御回路３２の電源となる制御回路用電源２３と、負荷駆動用電源の停電を検知する手段２４、復電を検知する手段２５と、制御回路用電源の停電を検知する手段２６、復電を検知する手段２７と、乾燥ヒータ１５から排出口モータ２１の各負荷を制御し、負荷駆動用電源の停電を検知する手段２４、復電を検知する手段２５、制御回路用電源の停電を検知する手段２６、復電を検知する手段２７から信号を入力することで負荷駆動用電源と制御回路用電源の停電の状態を認識するマイコン２８と、停電を検出した時に負荷の状態を記憶させる記憶素子２９と、表示手段３０と、報知手段３１を有している。
【００４３】
生ごみ処理機の処理の工程を図３を用いて説明する。生ごみを生ごみ投入扉１０から処理タンク１１に投入（生ごみ投入工程とする）し、制御回路用電源２３と負荷駆動用電源２２を投入（電源投入工程とする）する。処理の開始スイッチ１４を操作し処理を開始（処理開始とする）する。乾燥ヒータ１５とタンクヒータ１６と触媒ヒータ１７を通電し、触媒１２が所定温度になるまで加熱（予備加熱工程とする）する。触媒１２が所定温度になれば吸引ファンモータ２０を駆動し、生ごみを乾燥することで発生する蒸気を排出し、生ごみを乾燥（乾燥工程とする）する。生ごみの乾燥が終了すると乾燥した生ごみと、乾燥ヒータ１５を冷却（冷却工程とする）する。冷却後、排出口１３より、乾燥した生ごみを排出（排出工程とする）し終了する。
【００４４】
図４は復電処理に記憶素子２９から読み込んだ処理工程より処理を再開するフローチャート図である。また、図２に示すように負荷駆動用電源２２に三相２００Ｖ電源を、制御回路用電源２３には単相１００Ｖを使用している。さらに負荷駆動用電源の停電を検知する手段２４と制御回路用の停電を検知する手段２６を設ける。以上のように構成された生ごみ処理機について、以下その動作、作用を説明する（図４参照）。負荷駆動用電源の停電を検知する手段２４からの出力信号と制御回路用電源の停電を検知する手段２６からの出力信号で負荷駆動用電源のみの停電をマイコン２８が検知すると、停電処理に停電直前の各負荷の制御の状態をマイコン２８が認識し、各負荷の制御の状態を記憶素子２９に保存する。負荷駆動用電源の停電を検知する手段２４からの出力信号より負荷駆動用電源２２の復電をマイコン２８が認識すると、記憶素子２９に保存した停電直前の負荷の制御の状態を読み込み、読み込んだ負荷の制御の状態から生ごみの処理を再開する。復電時に停電直前の負荷の制御の状態から生ごみの処理を再開することにより、最初から生ごみの処理を再開することに比べ、生ごみの処理する時間が短くなり、効率が良くなる。
【００４５】
また、図２においては、負荷駆動用電源の復電を検知する手段２５を設けている。この前記機能において、マイコン２８は各負荷の制御の状態を記憶素子２９に随時保存する。例えば、負荷駆動用電源２２が停電しその後、負荷駆動用電源の復電を検知する手段２５からの出力信号でマイコン２８が負荷駆動用電源２２の復電を認識すると、記憶素子２９に随時保存した動作中の負荷の制御の状態を読み込み、読み込んだ負荷の制御の状態から生ごみの処理を再開する。停電が解消した時に、停電直前の負荷の制御の状態から生ごみの処理を再開することにより、最初から生ごみの処理を再開することに比べ、生ごみの処理する時間が短くなり、効率が良くなる。また、図２においては、負荷駆動用電源２２に三相深夜電力を、制御回路用電源２３に電灯電力を使用する構成となっている。以上のように構成された生ごみ処理機について、以下その動作、作用を説明する。三相深夜電力は電力需要が少ない夜間の時間帯のみ通電される電源であり、例えば，夜の２３時から翌朝７時まで通電される電源である。三相深夜電力は、電気料金が安い利点がある。三相深夜電力は通電される時間に制約が有るため三相深夜電力の停電を認識し、その停電に応じた処理を表示する必要がある。図２の構成にすることで深夜電力のみの停電が検出可能となり、深夜電力の停電に応じた復電後の処理が行うことができる。
【００４６】
さらに、図５は交流電源のゼロクロス点を検出する回路６１のブロック図であり、図６はゼロクロス点を検出する回路６１の出力波形である。以上のように構成された生ごみ処理機において、まず、負荷駆動用電源２２及び制御回路用電源２３に交流電源を使用し、負荷駆動用電源の停電を検知する手段２４または負荷駆動用電源の復電を検知する手段２５及び、制御回路用電源の停電を検知する手段２６または制御回路用電源の復電を検知する手段２７に、交流電源のゼロクロス点を検出する手段６１を用いる。ゼロクロス点を検出する手段６１は、例えば交流電源の電圧波形が０Ｖから±５Ｖにおいて信号１を、交流電源の電圧波形が５Ｖ以上又は、−５Ｖ以下の時に信号０を出力する（図６参照）。負荷駆動用電源２２又は、制御回路用電源２３が停電すると、ゼロクロス点を検出する手段６１は信号１の状態が続くことによってマイコン２８は停電を認識する。制御回路用電源２３が停電した場合は、例えば、２次電池６２または大容量の電解コンデンサ６３によってマイコン２８を動作させることで停電の認識を可能とする。ゼロクロス点を検出する手段６１を用いることにより、交流電源の周波数の検出を兼ねることが可能となる。
【００４７】
さらに、図７は交流電源の電圧を分圧する分圧回路８１の回路図であり、図８は交流電源の電圧を分圧する分圧回路８１の出力波形である。以上のように構成された生ごみ処理機において、まず、負荷駆動用電源の停電を検知する手段２４または負荷駆動用電源の復電を検知する手段２５及び、制御回路用電源の停電を検知する手段２６または制御回路用電源の復電を検知する手段２７に、電源を分圧する分圧回路８１を用いる。分圧回路８１は、例えば交流電源の電圧波形を０Ｖから±５Ｖに分圧した信号を出力する（図８参照）。負荷駆動用電源２２又は、制御回路用電源２３が停電すると、分圧回路８１の出力は０Ｖの状態が続くことによってマイコン２８は停電を認識する。制御回路用電源２３が停電した場合は、例えば、２次電池８２または大容量の電解コンデンサ８３によってマイコン２８を動作させることで停電の認識を可能とする。分圧回路８１を用いることにより、安価な回路で停電の検出または復電の検出が可能となる。
【００４８】
さらに、図９は交流電源の電流を検出するブロック図である。以上のように構成された生ごみ処理機において、まず、電源の電流を検出する手段１０１を設け、電源の電流の計測を行なう。電源の電流を検出する手段１０１を設けことで、前期の負荷駆動用電源の停電を検知する手段２４または負荷駆動用電源の復電を検知する手段２５及び、制御回路用電源の停電を検知する手段２６または制御回路用電源の復電を検知する手段２７の動作も兼ねることが可能となり、電源の電流の計測を行う手段と停電を検出する手段または復電を検出する手段を個別に設ける時より安価になる。
【００４９】
さらに、図１０は交流電源の電流を検出する手段１０１にカレントトランス１１１を用いた回路図であり、図１１はカレントトランス１１１の出力波形である。以上のように構成された生ごみ処理機において、まず、電源の電流を検出する手段１０１に、流れる電流によって出力である電圧値が変化するカレントトランス１１１を用いる。カレントトランス１１１は、例えば電源の電流波形を０Ｖから±５Ｖに変換した信号を出力する（図１１参照）。負荷駆動用電源２２又は、制御回路用電源２３が停電すると、カレントトランス１１１の出力は０Ｖの状態が続くことによってマイコン２８は停電を認識する。制御回路用電源２３が停電した場合は、例えば、２次電池１１２または大容量の電解コンデンサ１１３によってマイコン２８を動作させることで停電の認識を可能とする。電源の電流を検出する手段１０１に、カレントトランス１１１を用いることで電流を検出する手段の発熱を抑制することが可能となり、電流を検出する手段の許容電流を大きくすることができる。
【００５０】
さらに、図１２は交流電源の電流を検出する手段１０１に分流回路１３１を用いた回路図であり、図１３は分流回路１３１の出力波形である。以上のように構成された生ごみ処理機において、まず、電源の電流を検出する手段１０１に、分流回路１３１を用いる。分流回路１３１は、例えば電源の電流波形を０ｍＡから±１００ｍＡに分流した信号を出力する（図１３参照）。負荷駆動用電源２２又は、制御回路用電源２３が停電すると、分流回路１３１の出力は０ｍＡの状態が続きマイコン２８は停電を認識することが可能となる。制御回路用電源２３が停電した場合は、例えば、２次電池１３２または大容量の電解コンデンサ１３３によってマイコン２８を動作させることで停電の認識を可能とする。電源の電流を検出する手段１０１に、分流回路１３１を用いることで安価な回路で停電の検出または復電の検出と電源の電流の計測が可能となる。
【００５１】
図１４は、停電処理に予備加熱工程開始から停電までの時間を計時するブロック図、図１５は停電処理に予備加熱工程開始から停電までの時間を計時し、復電処理に記憶素子２９から読み込んだ時間により処理を再開するフローチャート図である。以上のように構成された生ごみ処理機について、以下その動作、作用を説明する。図１５において、予備加熱工程の直前にタイマー１５３を起動する。図１４における負荷駆動用電源の停電を検知する手段または復電を検知する手段１５１と、制御回路用電源の停電を検知する手段または復電を検知する手段１５２より、停電を検知した時の停電処理に、予備加熱工程の開始時に起動したタイマー１５３を停止し、図１における記憶素子２９に予備加熱工程の開始から停電するまでの時間を記憶する。負荷駆動用電源２２または制御回路用電源２３の復電を検出した時に、記憶素子２９から予備加熱工程の開始から停電するまでの時間を読み込み、読み込んだ予備加熱工程の開始から停電するまでの時間より処理を再開する。以上のように、停電を検知した時の停電処理に、予備加熱工程の開始から停電するまでの時間を計時することにより、例えば、生ごみ２０ｋｇの処理が５時間必要であれば、予備加熱工程の開始から停電するまでの時間が４時間とすると、生ごみは殆ど乾燥状態であり復電時の生ごみの処理が１時間で完了する。すなわち、停電を検知した時の停電処理に、予備加熱工程の開始から停電するまでの時間を計時することにより、停電直前の生ごみの処理状態が判別可能となり停電時の処理または復電時の処理が効率良くなる。
【００５２】
さらに、図１７は停電処理に停電時間を計時するフローチャート図である。以上のように構成された生ごみ処理機において、まず、負荷駆動用電源２２または制御回路用電源２３の停電を検出した時に、停電処理にて、停電している時間を停電している時間を計時するタイマー１５４により計時し、図１における記憶素子２９に記憶する。復電後、計時した停電の時間又は、停電した時点から所定時間以上の場合は処理の再開を中止する。例えば負荷駆動用電源２２に深夜電力を用いる場合で停電が長時間におよび、復電後の処理が深夜電力の通電時間帯内で終了しない事がある。この場合は、次の深夜電力の時間帯に処理を最初から行うことになり、復電後の処理が無駄な処理となる。復電後、例えば、深夜電力が供給される８時間の中で生ごみ２０ｋｇの処理が５時間必要であれば、３時間以上の停電が発生すると、深夜電力の供給時間帯内に処理を終了させることは無理となる。この場合、所定時間を例えば３時間に設定しておき、この値と前記記憶手段２９に記憶した値とをマイコン２８が比較する。前記記憶手段２９に記憶した値が大きい場合には深夜電力の供給時間帯内に処理が終了しないことになる。計時した停電の時間が所定時間以上の場合は処理の再開を中止することによって、復電後の不要な処理の再開を中止すことで電気代を削減することができる。さらに、処理途中で停電した場合、停電が長時間に及ぶとゴミが固まり復電時の処理が潤滑に行えない事があるが、この時間も前記所定時間が兼ねており、停電している時間がそれ以下の時は、潤滑な復電後の処理が行える。
【００５３】
さらに、図１６は復電処理に予備加熱工程の開始より処理を開始するフローチャート図である。以上のように構成された生ごみ処理機において、まず、負荷駆動用電源２２または制御回路用電源２３の復電を検出した時に、予備加熱工程の開始より処理を再開する。例えば、生ごみの処理が途中で液状になっている場合においても復電後、予備加熱工程の開始より処理を再開することで、生ごみを確実に乾燥することが可能である。復電後の処理を予備加熱工程の開始より処理を開始することにより、復電後の処理の単一化が可能である。
【００５４】
さらに、図１８は停電時間が所定時間より長い場合で復電後の処理を行う場合のフローチャート図である。以上のように構成された生ごみ処理機において、まず、負荷駆動用電源２２または制御回路用電源２３の停電を検出した時に、停電処理にて、停電している時間をタイマー１５４により計時し、図１における記憶素子２９に記憶する。停電時間が所定時間より長い場合は、乾燥ヒータ１５の温度を通常の乾燥工程より高い温度で制御し、生ごみを急速に乾燥する第二の乾燥工程と、第二の乾燥工程後の生ごみと、吸引ファンの回転数を通常の冷却工程より速い回転数で制御し、乾燥ヒータ１５を急速に冷却する第二の冷却工程の処理工程を備えることにより、負荷駆動用電源２２または制御回路用電源２３の停電している時間が所定時間以上の場合は、第二の乾燥工程と第二の冷却工程を行う。停電している時間が所定時間以上の場合に急速に乾燥する第二の乾燥工程と生ごみと乾燥ヒータ１５を急速に冷却する第二の冷却工程を行うことにより、停電に影響されること無く処理を終了させることができる。
【００５５】
さらに、図１９は停電時間が所定時間以内の場合のフローチャート図である。以上のように構成された生ごみ処理機において、まず、負荷駆動用電源２２または制御回路用電源２３の停電を検出した時に、停電処理にて、停電している時間をタイマー１５４により計時し、図１における記憶素子２９に記憶する。復電後、負荷駆動用電源２２または制御回路用電源２３の停電している時間が所定時間以内（例えば５分以内）の場合は、停電前の処理工程の続きを行う。ここで、５分以内の停電は乾燥ヒータ１５及び触媒ヒータ１７の温度低下が少なく、停電前の処理を継続することが可能である。停電の時間が所定時間以内の短時間の場合、停電前の処理工程の続きを行うことにより、短時間の停電においては停電に影響されること無く処理を終了させることができる。
【００５６】
さらに、図２０は停電時の停電表示のブロック図である。以上のように構成された生ごみ処理機において、まず、停電を検出する手段２１１は、負荷駆動用電源２２または制御回路用電源２３の停電を検出すると、これをマイコン２１２に出力する。マイコン２１２は、停電を検出する手段２１１より受けた信号により、停電の表示をするため表示部２１３に停電の出力を行う。表示部２１３はマイコン２１２から受けた信号により、停電の表示２１４を行う。停電検出時の停電表示２１４を行うことにより、処理中に停電が有ったことを使用者に知らせることができる。
【００５７】
さらに、図２１は復電時の表示のブロック図である。以上のように構成された生ごみ処理機において、まず、復電を検出する手段２２１は、負荷駆動用電源２２または制御回路用電源２３の復電を検出すると、これをマイコン２２２に出力する。マイコン２２２は、復電を検出する手段２２１より受けた信号により、復電の表示をするため表示部２２３に復電の出力を行う。表示部２２３はマイコン２２２から受けた信号により、復電の表示２２４を行う。復電時の表示２２２を行うことにより、処理中に停電し、復電したことを使用者に知らせることができる。
【００５８】
さらに、図２２は停電時の表示または復電時の表示の構成概略図である。以上のように構成された生ごみ処理機において、負荷駆動用電源２２または制御回路用電源２３の停電の表示または、負荷駆動用電源２２または制御回路用電源２３の復電の表示に７セグメントＬＥＤ２３１、液晶表示２３２、蛍光表示管２３３を用いる。停電の表示または、復電の表示に７セグメントＬＥＤ、液晶表示、蛍光表示管を用いることにより、停電または復電の状態を使用者に詳しく知らせることができる。
【００５９】
さらに、図２３は停電時の報知の構成概略図である。以上のように構成された生ごみ処理機において、停電を検出する手段２４１は、負荷駆動用電源２２または制御回路用電源２３の停電を検出すると、これをマイコン２４２に出力する。マイコン２４２は、停電を検出する手段２４１より受けた信号により、停電の報知をするため報知部２４３に停電の出力を行う。報知部２４３はマイコン２４２から受けた信号により、停電の報知を行う。停電検出時に、停電の報知を行うことにより、処理中に停電したことを使用者が生ごみ処理機に離れた場所に居る場合においても知らせることができる。
【００６０】
さらに、図２４は復電時の報知の構成概略図である。以上のように構成された生ごみ処理機において、復電を検出する手段２５１は、負荷駆動用電源２２または制御回路用電源２３の復電を検出すると、これをマイコン２５２に出力する。マイコン２５２は、復電を検出する手段２５１より受けた信号により、復電の報知をするため報知部２５３に復電の出力を行う。復電時に、復電の報知を行うことにより、処理中に停電し、復電したことを使用者が生ごみ処理機に離れた場所に居る場合においても知らせることができる。
【００６１】
また、図２には、負荷駆動用電源２２を開閉する第一のスイッチと制御回路用電源２３を開閉する第二のスイッチの結線略図を表わしている。負荷駆動用電源２２を開閉する第一のスイッチ３２または制御回路用電源２３を開閉する第二のスイッチ３３と、第一のスイッチ３２の開閉を検知する手段３４または第二のスイッチ３３の開閉を検知する手段３５を有する。以上のように構成された生ごみ処理機について、以下その動作、作用を説明する。負荷駆動用電源２２を開閉する第一のスイッチ３２が閉じている時は、第一のスイッチ３２の開閉を検知する手段３４は信号１を出力し、負荷駆動用電源２２を開閉する第一のスイッチ３２が開いている時は、第一のスイッチ３２の開閉を検知する手段３４は信号０を出力する（図２５参照）。第一のスイッチ３２の開閉を検知する手段３４の出力をマイコン２８に入力することにより、負荷駆動用電源２２を開閉する第一のスイッチ３２の操作の認識が可能となる。同様に、制御回路用電源２３を開閉する第二のスイッチ３３が閉じている時は、第二のスイッチ３３の開閉を検知する手段３５は信号１を出力し、制御回路用電源２３を開閉する第二のスイッチ３３が開いている時は、第二のスイッチ３３の開閉を検知する手段３５は信号０を出力する。第二のスイッチ３３の開閉を検知する手段３５の出力をマイコン２８に入力することにより、制御回路用電源２３を開閉する第一のスイッチ３３の操作の認識が可能となる。負荷駆動用電源２２を開閉する第一のスイッチ３２または制御回路用電源２３を開閉する第二のスイッチ３３と、第一のスイッチ３２の開閉を検知する手段３４または第二のスイッチ３３の開閉を検知する手段３５を備えることにより、負荷駆動用電源２２の電源断または制御回路用電源２３の電源断が停電によるものか、前記第一のスイッチ３２の操作または前記第二のスイッチの操作３３によるものか判別が可能となる。
【００６２】
さらに、図２６は電磁開閉器の駆動コイルの電源を開閉する第三のスイッチ構成概略図である。図２６において、負荷駆動用電源２３を開閉する第一のスイッチに電磁開閉器２７１（以下電磁開閉器とする。）を使用し、電磁開閉器２７１の駆動コイルの電源を開閉する第三のスイッチ２７２と第三のスイッチ２７２の開閉を検知する手段２７３を有する。
【００６３】
以上のように構成された生ごみ処理機において、まず、電磁開閉器２７１の駆動コイルの電源を開閉する第三のスイッチ２７２が閉じている時は、第三のスイッチ２７２の開閉を検知する手段２７３は信号１を出力し、電磁開閉器２７１の駆動コイルの電源を開閉する第三のスイッチ２７２が開いている時は、第三のスイッチ２７２の開閉を検知する手段２７３は信号０を出力する（図２７参照）。第三のスイッチ２７２の開閉を検知する手段２７３の出力をマイコン２８に入力することにより、電磁開閉器２７１の駆動コイルの電源を開閉する第三のスイッチ２７２の操作の認識が可能となる。電磁開閉器２７１の駆動コイルの電源を開閉する第三のスイッチの開閉を検知する手段２７３を備えることにより、負荷駆動用電源２２の電源断が停電によるものか、電磁開閉器２７１の駆動コイルの電源を開閉する第三のスイッチ２７３の操作によるものか判別が可能となる。
【００６４】
さらに、図２は、負荷駆動用電源２２を開閉する第一のスイッチと制御回路用電源２３を開閉する第二のスイッチの結線図であり、図２６は、電磁開閉器の駆動コイルの電源を開閉する第三のスイッチの結線図であり、図２８は、スイッチの両端の電圧を比較する回路図である。第一のスイッチの開閉を検知する手段３４または第二のスイッチの開閉を検知する手段３５または第三のスイッチの開閉を検知する手段２７３にスイッチの両端の電圧を比較する回路２９１を用いる。以上のように構成された生ごみ処理機において、まず、負荷駆動用電源２２を開閉する第一のスイッチ３２が閉じている時は、第一のスイッチ３２の開閉を検知する手段３４が入力する電圧は等しくなり信号１を出力する。負荷駆動用電源２２を開閉する第一のスイッチ３２が開いている時は、第一のスイッチ３２の開閉を検知する手段３４が入力する電圧は異なり信号０を出力する（図２５参照）。第一のスイッチ３２の開閉を検知する手段３４の出力をマイコン２８に入力することにより、負荷駆動用電源２２を開閉する第一のスイッチ３２の操作の認識が可能となる。同様に、制御回路用電源２３を開閉する第二のスイッチ３３が閉じている時は、第二のスイッチ３３の開閉を検知する手段３５が入力する電圧は等しくなり信号１を出力する。制御回路用電源２３を開閉する第二のスイッチ３３が開いている時は、第二のスイッチ３３の開閉を検知する手段３５が入力する電圧は異なり信号０を出力する（図２５参照）。第二のスイッチ３３の開閉を検知する手段３５の出力をマイコン２８に入力することにより、制御回路用電源２３を開閉する第一のスイッチ２６２の操作の認識が可能となる。同様に、電磁開閉器２７１の駆動コイルの電源を開閉する第三のスイッチ２７２が閉じている時は、第三のスイッチ２７２の開閉を検知する手段２７３が入力する電圧は等しくなり信号１を出力する。電磁開閉器２７１の駆動コイルの電源を開閉する第三のスイッチ２７２が開いている時は、第三のスイッチ２７２の開閉を検知する手段２７３が入力する電圧は異なり信号０を出力する（図２７参照）。第三のスイッチ２７２の開閉を検知する手段２７３の出力をマイコン２８に入力することにより、電磁開閉器２７１の駆動コイルの電源を開閉する第三のスイッチ２７２の操作の認識が可能となる。
【００６５】
図２２において、第一のスイッチ、第二のスイッチ、第三のスイッチそれぞれのスイッチ両端の電圧を比較することにより、前記第一のスイッチまたは前記第二スイッチまたは前記第三のスイッチの開閉の検知が容易にできる。
【００６６】
さらに、図２９は、第一のスイッチまたは第二のスイッチまたは第三のスイッチが操作された時のフローチャート図である。以上のように構成された生ごみ処理機において、まず、第一のスイッチ３２または第二のスイッチ３３または第三のスイッチ２７２の開閉を検知する手段にてスイッチの開を検知した時は、停電処理または復電処理を中止する。開閉を検知する手段にてスイッチの開を検知した時は、停電処理または復電処理を中止することにより、第一のスイッチ３２または第二のスイッチ３３または第三のスイッチ２７２を再投入した時に前記予備加熱工程から開始できる。
【００６７】
さらに、図３０は生ごみ投入扉の開閉を検知する手段の結線図である。図３０において、電磁開閉器２７１のコイル駆動用電源を開閉することを可能とする生ごみ投入扉の開閉を検知する第一の手段３１１または、生ごみ投入扉の開閉を信号で出力する生ごみ投入扉の開閉を検知する第二の手段３１３と、負荷駆動用電源を開閉する第一のスイッチ電磁開閉器２７１または制御回路用電源を開閉する第二のスイッチ３４を有する。以上のように構成された生ごみ処理機において、まず、生ごみ投入扉が開いている時は、生ごみ投入扉の開閉を検知する第一の手段３１１は、電磁開閉器２７１のコイル駆動用電源を開放する。コイル駆動用電源を開放することにより電磁開閉器２７１を開放し負荷駆動用電源２２を遮断する。生ごみ投入扉が閉じている時は、生ごみ投入扉の開閉を検知する第一の手段３１１は、電磁開閉器２７１のコイル用駆動用電源を投入する。コイル駆動用電源を供給することにより電磁開閉器２７１を投入し負荷駆動用電源２２を供給する。また、生ごみ投入扉が開いている時は、生ごみ投入扉の開閉を検知する第二の手段３１３は生ごみ投入扉開を検知し信号０を出力する（図３１参照）。生ごみ投入扉を検知する第二の手段３１３の信号をマイコン２８に入力することにより、生ごみ投入扉開を認識し、電磁開閉器２７１のコイル駆動用電源を開閉する第三のスイッチ２７２を開放し負荷駆動用電源２２を遮断する。または生ごみ投入扉を検知する第二の手段３１３の信号をマイコン２８に入力することにより、生ごみ投入扉開を認識し、制御回路用電源を開閉する第二のスイッチ３４を開放し制御回路用電源２３を遮断する。生ごみ投入扉が閉じている時は、生ごみ投入扉の開閉を検知する第二の手段３１３は生ごみ投入扉開を検知し信号１を出力する。生ごみ投入扉を検知する第二の手段３１３の信号をマイコン２８に入力することにより、生ごみ投入扉閉を認識し、電磁開閉器２７１のコイル駆動用電源を開閉する第三のスイッチを投入し負荷駆動用電源２２を投入する。または生ごみ投入扉を検知する第二の手段３１３の信号をマイコン２８に入力することにより、生ごみ投入扉閉を認識し、制御回路用電源を開閉する第二のスイッチ３４を投入し制御回路用電源２３を投入する。生ごみ投入扉の開閉を検知する第一の手段３１１または生ごみ投入扉の開閉を検知する第二の手段３１３にて生ごみ投入扉開の検出を行い、負荷駆動用電源２２または制御回路用電源２３を遮断することにより、生ごみ投入扉を開けた時の蒸気上がりを抑えることができる。
【００６８】
また、図３０において、生ごみ投入扉の開閉を検知し電磁開閉器のコイル駆動用電源を遮断する第一の手段３１１または生ごみ投入扉の開閉を検知する第二の手段３１３に、リミットスイッチを用いる。以上のように構成された生ごみ処理機において、生ごみ投入扉の開閉を検知する手段に、リミットスイッチを用いることにより、負荷駆動用電源または制御回路用電源の遮断が容易にできる。さらに、図３０は生ごみ投入扉の開閉を検知する手段の構成概略図である。図３０において、生ごみ投入扉の開閉を検知する第二の手段３１３に、リードスイッチを用いる。以上のように構成された生ごみ処理機において、生ごみ投入扉の開閉を検知する手段に、リードスイッチを用いることにより、生ごみ投入扉の開閉検知が安価にできる。
【００６９】
さらに、図３２は生ごみ投入扉の開閉を検知する手段３３１と表示部３３２の関係を示すブロック図である。以上のように構成された生ごみ処理機において、まず、生ごみ投入扉の開閉を検知する手段３３１は、生ごみ投入扉開を検知すると、これをマイコン３３３に出力する。マイコン３３３は、生ごみ投入扉の開閉を検知する手段３３１より受けた信号により、表示部３３２の全ての表示を消灯する。生ごみ投入扉開時には表示部３３２の全ての表示を消灯することにより、生ごみ投入扉の開閉により負荷駆動用電源２２または制御回路用電源２３が遮断されたことが使用者に知らせることができる。
【００７０】
さらに、図３３は生ごみ投入扉の開閉を検知する手段３４１と扉開の表示３４２の関係を示すブロック図である。図３２において、生ごみ投入扉の開閉を検知する手段３４１にて生ごみ投入扉開の検知時には扉開の表示３４２を行う。以上のように構成された生ごみ処理機において、まず、生ごみ投入扉の開閉を検知する手段３４１は、生ごみ投入扉開を検知すると、これをマイコン３４３に出力する。マイコン３４３は、生ごみ投入扉の開閉を検知する手段３４１より受けた信号により、扉開の表示３４２を行う。生ごみ投入扉開の表示３４２を行うことにより、生ごみ投入扉開を使用者に知らせることができる。
【００７１】
さらに、図３４は生ごみ投入扉開の表示の構成概略図である。以上のように構成された生ごみ処理機において、生ごみ投入扉開時の扉開の表示に、７セグメントＬＥＤ３５１、液晶表示３５２、蛍光表示管３５３を用いる。生ごみ投入扉開時の扉開の表示に、７セグメントＬＥＤ３５１、液晶表示３５２、蛍光表示管３５３を用いることにより、生ごみ投入扉開を使用者に詳しく知らせることができる。
【００７２】
さらに、図３５は生ごみ投入扉の開閉を検知する手段と報知の関係を示すブロック図である。図３５において、生ごみ投入扉の開閉を検知する手段３６１にて生ごみ投入扉開の検知時には扉開の報知を報知手段３６２で行う。以上のように構成された生ごみ処理機において、まず、生ごみ投入扉の開閉を検知する手段３６１は、生ごみ投入扉開を検知すると、これをマイコン３６３に出力する。マイコン３６３は、生ごみ投入扉の開閉を検知する手段３６１より受けた信号により、扉開の報知をするため報知部３６２に扉開の出力を行う。報知部３６２はマイコン３６３から受けた信号により、扉開の報知を行う。生ごみ投入扉開時に扉開の報知を行うことにより、使用者の視線が表示部に無い場合においても生ごみ投入扉開を使用者に知らせることができる。
【産業上の利用可能性】
【００７３】
以上のように、本発明にかかる生ごみ処理機は、復電後の処理を効率良くすることができるので、生ごみ処理機の停電時から復電時のごみ処理に特に有用である。
【図面の簡単な説明】
【００７４】
【図１】本発明の実施の形態１における生ごみ処理機の全体図
【図２】同生ごみ処理機の結線略図
【図３】同生ごみ処理機の開始から終了までのフローチャート
【図４】同復電処理に記憶素子から読み込んだ処理工程より処理を再開するフローチャート
【図５】同ゼロクロス点を検出する回路のブロック図
【図６】同ゼロクロス点を検出する回路の出力波形図
【図７】同交流電源の電圧を分圧する回路図
【図８】同交流電源の電圧を分圧する回路の出力波形図
【図９】同交流電源の電流を検出するブロック図
【図１０】同交流電源の電流を検出する手段にカレントトランスを用いた回路図
【図１１】同交流電源の電流を検出する手段にカレントトランスを用いた回路の出力波形図
【図１２】同交流電源の電流を検出する手段に分流回路を用いた回路図
【図１３】同交流電源の電流を検出する手段に分流回路を用いた回路の出力波形図
【図１４】同停電処理に予備加熱工程開始から停電までの時間を計時するブロック図
【図１５】同復電処理に記憶素子から読み込んだ時間より処理を再開するフローチャート
【図１６】同復電処理に予備加熱工程の開始より処理を開始するフローチャート
【図１７】同停電処理に停電時間を計時するフローチャート
【図１８】同停電時間が所定時間より長い場合で復電後の処理を行う場合のフローチャート
【図１９】同停電時間が所定時間以内の場合のフローチャート
【図２０】同停電時の停電表示のブロック図
【図２１】同復電時の表示のブロック図
【図２２】同停電時の表示または復電時の表示の構成概略図
【図２３】同停電時の報知の構成概略図
【図２４】同復電時の報知の構成概略図
【図２５】同負荷駆動用電源を開閉する第一のスイッチと制御回路用電源を開閉する第二のスイッチの信号図
【図２６】同電磁開閉器の駆動コイルの電源を開閉する第三のスイッチ結線図
【図２７】同電磁開閉器の駆動コイルの電源を開閉する第三のスイッチの信号図
【図２８】同スイッチの両端の電圧を比較する回路図
【図２９】同第一のスイッチまたは第二のスイッチまたは第三のスイッチが操作された時のフローチャート
【図３０】同生ごみ投入扉の開閉を検知する手段の結線図
【図３１】同生ごみ投入扉の開閉を検知する手段の信号図
【図３２】同生ごみ投入扉の開閉を検知する手段と表示部の関係を示すブロック図
【図３３】同生ごみ投入扉の開閉を検知する手段と表示の関係を示すブロック図
【図３４】同生ごみ投入扉開の表示の構成概略図
【図３５】同生ごみ投入扉の開閉を検知する手段と報知の関係を示すブロック図
【図３６】従来の生ごみ処理機の停電に関するブロック図
【符号の説明】
【００７５】
２２  負荷駆動用電源
２３  制御回路用電源
２４  負荷駆動用電源の停電を検知する手段
２５  負荷駆動用電源の復電を検知する手段
２６  制御回路用電源の停電を検知する手段
２７  制御回路用電源の復電を検知する手段
２８  マイコン
２９  記憶素子
３０  表示手段
３１  報知手段
３２  制御回路
３３  負荷駆動用電源を開閉する第一のスイッチ
３４  制御回路用電源を開閉する第二のスイッチ
３５  第一のスイッチの開閉を検知する手段
３６  第二のスイッチの開閉を検知する手段
【図１】
2005052753.tif 000003
【図２】
2005052753.tif 000004
【図３】
2005052753.tif 000005
【図４】
2005052753.tif 000006
【図５】
2005052753.tif 000007
【図６】
2005052753.tif 000008
【図７】
2005052753.tif 000009
【図８】
2005052753.tif 000010
【図９】
2005052753.tif 000011
【図１０】
2005052753.tif 000012
【図１１】
2005052753.tif 000013
【図１２】
2005052753.tif 000014
【図１３】
2005052753.tif 000015
【図１４】
2005052753.tif 000016
【図１５】
2005052753.tif 000017
【図１６】
2005052753.tif 000018
【図１７】
2005052753.tif 000019
【図１８】
2005052753.tif 000020
【図１９】
2005052753.tif 000021
【図２０】
2005052753.tif 000022
【図２１】
2005052753.tif 000023
【図２２】
2005052753.tif 000024
【図２３】
2005052753.tif 000025
【図２４】
2005052753.tif 000026
【図２５】
2005052753.tif 000027
【図２６】
2005052753.tif 000028
【図２７】
2005052753.tif 000029
【図２８】
2005052753.tif 000030
【図２９】
2005052753.tif 000031
【図３０】
2005052753.tif 000032
【図３１】
2005052753.tif 000033
【図３２】
2005052753.tif 000034
【図３３】
2005052753.tif 000035
【図３４】
2005052753.tif 000036
【図３５】
2005052753.tif 000037
【図３６】
2005052753.tif 000038